(57)【要約】【課題】  従来の入力表示システムにおいては、ユーザが電子ペンで描く際に、受信手段に固定された紙面にペン先を落として書き出す位置と、モニタ等に映し出される書き出し位置と、がユーザの所望する位置と異なることがある。そのため、ユーザは、実際に仮に一度紙面に筆圧を掛けて描かなければ、紙面上の位置と、モニタに表示される書き出し位置と、の対応を知ることができなかった。【解決手段】  モニタ１５における書き出し位置を設定するための設定手段の機能を具備している。この設定手段は、プログラム又は回路によって実現されるものであって、例えば、ＰＣ１０に内蔵されるストレージデバイスに格納される入力表示プログラムに従って各種処理を実行するＣＰＵ等である。【選択図】図１
2005107626.tif 000002
【特許請求の範囲】
【請求項１】
電子ペンより出力される信号を受信する受信手段と、
該受信手段が受信した信号に基づいて上記電子ペンで描かれた内容を表示する表示手段と、を具備する入力表示システムにおいて、
上記表示手段における書き出し位置を設定するための設定手段を具備することを特徴とする入力表示システム。
【請求項２】
前記設定手段は、前記表示手段を具備するデータ処理装置に接続されるポインティングデバイスのポインタの位置に応じて、前記書き出し位置を設定してなる請求項１記載の入力表示システム。
【請求項３】
前記ポインティングデバイスの移動に応じて該ポインタを移動させる手段と、
前記ポインティングデバイスによってマークされたポインタの位置を記憶する手段と、
該記憶したポインタの位置を書き出し位置として、電子ペンで描かれる内容を前記表示手段に表示する手段と、を具備してなる請求項２記載の入力表示システム。
【請求項４】
動作モードを書き出し位置に設定するための設定モードに切り替えるための手段と、
上記設定モードである場合に、前記受信手段が前記電子ペンからの信号の受信が有る状態から、該信号の受信が無い状態に移行した時の電子ペンの位置を書き出し位置として記憶する手段と、
該記憶した電子ペンの位置を書き出し位置として、電子ペンで描かれる内容を前記表示手段に表示する手段と、を具備してなる請求項１記載の入力表示システム。
【請求項５】
前記設定手段は、前記電子ペンによって描かれる場合に出力される信号とは異なる信号を前記受信手段が受信した場合に、前記書き出し位置を設定してなる請求項１記載の入力表示システム。
【請求項６】
前記電子ペンに設けられ、前記電子ペンによって描かれる場合に出力される信号とは異なる信号を出力するための手段と、
前記受信手段が受信した信号が、前記電子ペンによって描かれる場合に出力される信号とは異なる信号であるか否かを判断する手段と、
該判断で前記電子ペンによって描かれる場合に出力される信号とは異なる信号であると判断された場合に、前記電子ペンのペン先の移動に伴って前記表示手段に表示される電子ペンの位置を移動させる手段と、
前記受信手段が受信した信号が、前記電子ペンによって描かれる場合に出力される信号とは異なる信号から、前記電子ペンによって描かれる場合に出力される信号に移行した時の電子ペンの位置を記憶する手段と、
該記憶している電子ペンの位置を書き出し位置として電子ペンで描かれる内容を前記表示手段に表示する手段と、を具備してなる請求項５記載の入力表示システム。
【請求項７】
電子ペンより出力される信号を受信する受信手順と、
該受信手順で受信した信号に基づいて上記電子ペンで描かれた内容を表示する表示手順と、をコンピュータに実行させる入力表示プログラムにおいて、
上記表示手順における書き出し位置を設定するための設定手順を実行させることを特徴とする入力表示プログラム。
【発明の詳細な説明】
【技術分野】
【０００１】
本発明は、電子ペンより発せられる信号を受信する受信手段と、該受信手段が受信した信号に基づいて電子ペンで描かれた内容を表示する表示手段と、を具備する入力表示システム、及び入力表示プログラムに関するものである。
【背景技術】
【０００２】
従来より、電子ペンより出力される信号を受信手段で受信し、該信号に基づいて電子ペンで描かれた内容を表示するモニタ等の表示手段を具備するパーソナルコンピュータ等のデータ処理装置を用いた入力表示システム及びそのプログラムがある。
具体的には、電子ペンは、そのペン先に筆圧が掛かった場合に、該電子ペン自体に設けられる発信部から超音波又は赤外線等の信号を出力する。
受信手段は、電子ペンの発信部から出力された信号を受信すると共に電気信号に変換して、該信号をデータ処理装置に送信する。
データ処理装置は、上記信号に基づいて電子ペンの軌跡や位置に関する情報を算出し、電子ペンで書かれた内容をモニタの画面上に表示するための仮想的な紙（所謂、描画用エディタ）に電子ペンによって描かれた内容を表示する。
即ち、この入力表示システムは、手書きで描かれた内容をモニタ等の表示手段に表示するシステムであり、このシステムの処理手順を定めたものがデータ処理装置等に格納される入力表示プログラムである。
このような入力表示システム・入力表示プログラムの具体例としては、下記特許文献１、２に示すようなものがある。
また、電子ペンのペン先からはインクも出る構造となっているため、ユーザは電子ペンを用いて実際に紙面に該インクで描くことも可能である。
また、上記受信手段は、該紙等のシート材を挟持することによって固定する機能を具備している。
【０００３】
【特許文献１】特開平１０−３３３８１７号公報
【特許文献２】特開平０６−２８９９８２号公報
【発明の開示】
【発明が解決しようとする課題】
【０００４】
ところで、上述のような入力表示システムにおいては、ユーザが電子ペンで描く際に、受信手段に固定された紙面にペン先を落として書き出す位置と、モニタ等に映し出される書き出し位置と、がユーザの所望する位置と異なることがある。
これは、電子ペンの使用電力節減のために、ペン先に筆圧が掛かった場合のみ電子ペンは信号が出力される仕組みになっているためである。
つまり、ペン先に筆圧が掛からない間は、データ処理装置は、受信手段を介して電子ペンの出力信号を受信することが不可能なため、事前に電子ペンの位置を表示部に表示させることができなかった。
そのため、ユーザは、実際に仮に一度紙面に筆圧を掛けて描かなければ、紙面上の位置と、モニタに表示される書き出し位置と、の対応を知ることができなかった。
即ち、従来においては、紙面上の位置と表示手段に表示される位置との対応を知る為に、試し書きを必要とし、該試し書きで描いた内容を消した後に所望する内容を描く必要があって手間が掛かるものであった。
そこで、本発明は上記事情に鑑みてなされたものであり、その目的とするところは、ユーザが実際に電子ペンを用いて書き出す前に、予め前もって電子ペンの位置を容易にユーザに知らせることができる入力表示システム、及び入力表示プログラムを提供することである。
【課題を解決するための手段】
【０００５】
本発明の解決しようとする課題は以上の如くであり、次にこの課題を解決するための手段を説明する。
【０００６】
即ち、請求項１においては、電子ペンより出力される信号を受信する受信手段と、
該受信手段が受信した信号に基づいて上記電子ペンで描かれた内容を表示する表示手段と、を具備する入力表示システムにおいて、
上記表示手段における書き出し位置を設定するための設定手段を具備することを特徴とする入力表示システムとして構成されている。
【０００７】
請求項２においては、前記設定手段は、前記表示手段を具備するデータ処理装置に接続されるポインティングデバイスのポインタの位置に応じて、前記書き出し位置を設定してなる入力表示システムとして構成されている。
【０００８】
請求項３においては、前記ポインティングデバイスの移動に応じて該ポインタを移動させる手段と、
前記ポインティングデバイスによってマークされたポインタの位置を記憶する手段と、
該記憶したポインタの位置を書き出し位置として、電子ペンで描かれる内容を前記表示手段に表示する手段と、を具備してなる入力表示システムとして構成されている。
【０００９】
請求項４においては、動作モードを書き出し位置に設定するための設定モードに切り替えるための手段と、
上記設定モードである場合に、前記受信手段が前記電子ペンからの信号の受信が有る状態から、該信号の受信が無い状態に移行した時の電子ペンの位置を書き出し位置として記憶する手段と、
該記憶した電子ペンの位置を書き出し位置として、電子ペンで描かれる内容を前記表示手段に表示する手段と、を具備してなる入力表示システムとして構成されている。
【００１０】
請求項５においては、前記設定手段は、前記電子ペンによって描かれる場合に出力される信号とは異なる信号を前記受信手段が受信した場合に、前記書き出し位置を設定してなる入力表示システムとして構成されている。
【００１１】
請求項６においては、前記電子ペンに設けられ、前記電子ペンによって描かれる場合に出力される信号とは異なる信号を出力するための手段と、
前記受信手段が受信した信号が、前記電子ペンによって描かれる場合に出力される信号とは異なる信号であるか否かを判断する手段と、
該判断で前記電子ペンによって描かれる場合に出力される信号とは異なる信号であると判断された場合に、前記電子ペンのペン先の移動に伴って前記表示手段に表示される電子ペンの位置を移動させる手段と、
前記受信手段が受信した信号が、前記電子ペンによって描かれる場合に出力される信号とは異なる信号から、前記電子ペンによって描かれる場合に出力される信号に移行した時の電子ペンの位置を記憶する手段と、
該記憶している電子ペンの位置を書き出し位置として電子ペンで描かれる内容を前記表示手段に表示する手段と、を具備してなる入力表示システムとして構成されている。
【００１２】
請求項７においては、電子ペンより出力される信号を受信する受信手順と、
該受信手順で受信した信号に基づいて上記電子ペンで描かれた内容を表示する表示手順と、をコンピュータに実行させる入力表示プログラムにおいて、
上記表示手順における書き出し位置を設定するための設定手順を実行させることを特徴とする入力表示プログラムとして構成されている。
【発明の効果】
【００１３】
本発明の効果として、以下に示すような効果を奏する。
【００１４】
請求項１の構成により、ユーザは所望する書き出し位置を容易に設定することが可能となり、その設定した書き出し位置を始点として電子ペンで描画する内容を容易に表示手段に表示することが可能となる。
したがって、電子ペンによる描画を開始する場合に、ユーザは書き出し位置を特に意識することなく、予め定めた書き出し位置を始点として描画を開始することが可能となる。
【００１５】
請求項２の構成により、従来より広く一般的に用いられているポインティングデバイスを用いて容易に書き出し位置を設定することが可能となる。
【００１６】
請求項３の構成により、マウス等のポインティングデバイスを用いて書き出し位置を設定することによって、従来より用いられるデバイスで用に書き出しを設定できるので、ハードウェア点数を増加させることなく且つコストアップもなく実現することが可能となる。
【００１７】
請求項４の構成により、電子ペンのみを用いて書き出し位置を設定することが可能となるので、ユーザは扱うハードウェアを持ち替えることなく容易に書き出し位置を設定することが可能となる。
【００１８】
請求項５の構成により、ユーザは電子ペンのみを用いて書き出し位置の設定から描画までの作業を行うことが可能となる。
【００１９】
請求項６の構成により、簡便な処理手法（アルゴリズム）で書き出し位置を決定し、電子ペンで描かれる内容を表示することが可能となる。
【００２０】
請求項７の構成により、ユーザは所望する書き出し位置を容易に設定することが可能となり、その設定した書き出し位置を始点として電子ペンで描画する内容を容易に表示することが可能となる。
したがって、電子ペンによる描画を開始する場合に、ユーザは書き出し位置を特に意識することなく、予め定めた書き出し位置を始点として描画を開始することが可能となる。
【発明を実施するための最良の形態】
【００２１】
以下、添付図面を参照しながら、本発明を実施するための最良の形態について説明し、本発明の理解に供する。尚、以下の本発明を実施するための最良の形態は、本発明を具体化した一例であって、本発明の技術的範囲を限定する性格のものではない。
ここに、図１は本発明の入力表示システムの一例である概略構成外観図、図２は本発明の入力表示システムのシステム上の概略構成の一例を示したブロック図、図３は表示手段に表示された表示内容の一例図である。
【００２２】
＜全体構成＞
本発明の入力表示システムは、例えば図１に示すように、主に、電子ペン３０と、該電子ペン３０より出力される信号を空間を介して受信する受信手段の一例である受信部２０と、該受信部２０が受信した信号に基づいて電子ペン３０で書かれた内容を表示する表示手段の一例であるモニタ１５を具備するデータ処理装置（例えば、パーソナルコンピュータ１０（以下、「ＰＣ１０」と表記））と、を具備して構成されている。
電子ペン３０は、ペン先３１が紙等のシート材に接触しているかを検知する筆圧検知機能を有し、筆圧が検知された場合に超音波又は赤外線等による信号を出力する発信部３２が設けられている。
受信部２０は、電子ペン３０の発信部３２より出力された信号を受信する（受信手順）受信面２１と、電子ペン３０のペン先３１で押されることによって動作モード等を切り替えるための複数（図１の例では５つ）のスイッチが設けられるスイッチ部２３と、受信部２０と着脱可能な下敷き２２とを具備して概略構成されている。
また、図１に示すように、受信部２０は、紙２４等を挟持することによって固定する機能も具備している。
ＰＣ１０は、受信部２０が受信した信号に基づいて画像処理や演算等を行う本体１７と、該本体１７で処理された情報を表示する（表示手順）モニタ１５とを具備し、その他マウス（図２参照）等のポインティングデバイスや、キーボード（図２参照）等の入力装置を具備しても良い。
また、受信部２０とＰＣ１０とはＵＳＢ等によって接続される構成であっても良い。
【００２３】
＜システム構成＞
次に、上述のような外観を有する入力表示システムのシステム上の概略構成を図２のブロック図を用いて説明する。
受信部２０、電子ペン３０、マウス４０、キーボード５０等は、ＰＣ１０に設けられる通信部１４を介してＣＰＵ１６（中央処理装置）に接続されている。
また、本発明の入力表示システムの動作プログラム（即ち、入力表示プログラム）等のデータを格納する固定ディスクドライブ等のストレージデバイス１１の他、ＲＯＭ１２・ＲＡＭ１３等の記憶手段もＣＰＵ１６に接続されている。
また、モニタ１５もグラフィックカード（不図示）を介してＣＰＵ１６に接続されている。
このように構成されているので、ＣＰＵ１６は、ストレージデバイス１１より上記入力表示プログラムを読み出してＲＡＭ１３等で展開して実行することによって、該プログラムに従って画像処理を行ったり、上述した接続機器を制御する等の処理の統括を行ったりしている。
また、図２に示すＰＣ１０において、モニタ１５を除いたものを上記本体１７に相当するものとしても良い。
【００２４】
上述のように構成された入力表示システムは、「電子ペン３０のペン先３１に筆圧が掛かった際のモニタ１５上における位置」、即ち、「モニタ１５における書き出し位置」を設定するための設定手段の機能を具備している。
この設定手段は、プログラム又は回路によって実現されるものであって、例えば、上述におけるストレージデバイス１１に格納される入力表示プログラムに従って各種処理を実行するＣＰＵ１６等である。
また、該設定手段による書き出し位置の設定手順は、ストレージデバイス１１に記憶される入力表示プログラムに予め定められても良い。
このような構成によって、ユーザは所望する書き出し位置を容易に設定することが可能となり、その設定した書き出し位置を始点として電子ペンで描画する内容を容易に表示手段に表示することが可能となる。
以下では、設定手段の一例であるＣＰＵ１６が書き出し位置を具体的に設定する手法について以下に説明する。
【００２５】
＜マウスによる設定＞
ＰＣ１０に接続されるマウス４０のポインタ２０１は、図３に示すように、モニタ１５の表示画面１１０に示される。
この表示画面１１０には、例えば、入力表示プログラムに基づいて罫線１２１を表示する罫線モードの描画用エディタ１２０が表示されているとする。
ここで、ユーザが、罫線で囲まれるセルのうち、所望するセルに電子ペン３０を用いて描いた内容を表示させる場合の手法について説明する。
例えば、ユーザが、罫線１２１の最上段の左隅のセルに描きたい場合は、マウス４０等のポインタ２０１で指定することによって書き出し位置を設定しても良い。
この場合における書き出し位置の設定は、例えば、ＣＰＵ１６が、ユーザによってマウス４０がクリックされたポインタ２０１の位置（例えば、位置１０１）を、描画エディタ１２０上における座標位置等を認識することによって行っても良い。
即ち、ＣＰＵ１６は、マウス等のポインティングデバイスの移動に応じてポインタ２０１の位置を移動させる手段の機能と、マウス４０のクリックによってマークされたポインタの位置を書き出し位置としてＲＡＭ１３等に記憶する手段の機能と、を具備している。
更に、ＣＰＵ１６は、認識した位置１０１をモニタ１５に映し出すことによって、ユーザに視覚的に分かるように行っても良い。
そして、ＣＰＵ１６は、ユーザが電子ペン３０を用いて書き出したこと（即ち、ペン先３１に筆圧を検知したこと）を、受信部２０を介して検知し、その書き出し位置（即ち、始点）を位置１０１として、ユーザが描く内容をモニタ１５に表示する。
即ち、ＣＰＵ１６は、上述において記憶されたポインタの位置を書き出し位置（即ち、始点）として、電子ペン３０で描かれる内容をモニタ１５に表示させて描画を開始する手段の機能を具備している。
続いて、ＣＰＵ１６は、ユーザによる電子ペン３０の描画が終了（即ち、ペン先３１の筆圧が無くなったこと）を、受信部２０を介して検知し、位置１０１からスタートした描画処理を終了する。
また、上記最上段の左隅のセルと同一のセル内において、上記位置１０１とは異なる位置（例えば、位置１０２）を書き出し位置としたい場合は、位置１０２をポインタ２０１で指定することによって書き出し位置に設定できる。
また、上記以外のセルを書き出し位置としたい場合は、所望する位置（例えば、位置１０３）をポインタ２０１で指定することによって書き出し位置を設定することが可能となる。
つまり、本発明の入力表示システム及びそのプログラムは、従来より広く一般的に用いられているマウス４０等のポインティングデバイスを用いることによって、ユーザが所望する位置を書き出し位置として容易に設定することを可能にする。
したがって、電子ペン３０による描画を開始する場合に、ユーザは書き出し位置を特に意識することなく、予め定めた書き出し位置を始点として描画を開始することが可能となる。
また、マウス等のポインティングデバイスを用いて書き出し位置を設定することによって、従来より用いられるデバイスで用に書き出しを設定できるので、ハードウェア点数を増加させることなく且つコストアップもなく実現することが可能となる。
【００２６】
＜設定モード１；受信部のスイッチによる切り替え＞
次に、マウス４０を用いることなく書き出し位置を設定する手法について以下に説明する。
例えば、ＣＰＵ１６は、受信部２０のスイッチ部２３のうち、２番が押された場合に書き出し位置を設定する設定モードとなり、他方、３番が押された場合に該２番で設定された書き出し位置より電子ペン３０による描画内容を描画用エディタ１２０に表示する描画モードとなるものとする。
即ち、受信部２０のスイッチ部２３のうち、２番のスイッチは、本システムの動作モード（即ち、ＣＰＵ１６の動作モード）を書き出し位置を設定するための設定モードに切り替える手段の一例である。
また、スイッチ部２３のスイッチのうち、１番はクリア機能（即ち、描画用エディタ１２０に記載された内容を消去する機能）、５番はコピー機能（即ち、描画用エディタ１２０に描かれた内容の複製をＲＡＭ１３等に一時的に記憶する機能）としても良い。
このようなスイッチ部２３の各スイッチの機能の割り振りは、ストレージデバイス１１に記憶される入力表示プログラム中に予め定められても良い。
この場合において、例えば、ＣＰＵ１６は、２番のスイッチが押されたと判断された場合に上記設定モードとなり、ペン先３１の筆圧の有無を受信部２０を介して検知する。
この設定モードにおいて、例えば、ＣＰＵ１６は、ペン先３１の筆圧が掛かっている状態から掛かって無いの状態になった場合に、その筆圧が無い状態になった位置を、ＲＡＭ１３等に記憶して上述同様に描画用エディタ１２０上にマークする。
即ち、この設定モードにおいて、ＣＰＵ１６は、受信部２０が電子ペン３０からの信号の受信が有る状態（ペン先３１に筆圧が掛かっている状態）から、該信号の受信が無い状態（ペン先３１に筆圧が掛かってない状態）に移行した時の電子ペン３０の位置を書き出し位置として記憶する手段の機能を具備している。
そして、ＣＰＵ１６は、ペン先３１によって３番のスイッチが押された場合に描画モードに切り替わって、該設定モードでマークした位置を書き出し位置（即ち、始点）として、電子ペン３０によって描かれる内容をモニタ１５に表示する。
即ち、この描画モードにおいて、ＣＰＵ１６は、上述において記憶された書き出し位置を始点として、電子ペン３０で描かれる内容をモニタ１５に表示させて描画を開始する手段の機能を具備している。
この場合は、マウス等のポインティングデバイスを用いることなく、電子ペン３０のみで書き出し位置を設定すると共に、描画用エディタ１２０に描画することが可能となる。
即ち、電子ペンのみを用いて書き出し位置を設定することが可能となるので、ユーザは扱うハードウェアを持ち替えることなく容易に書き出し位置を設定することが可能となる。
【００２７】
上述の設定モードの場合において、ＣＰＵ１６は、ペン先３１に筆圧が掛かっている状態で電子ペン３０が移動しても、モニタ１５の表示画面にはペン先３１の移動軌跡を連続的に実際に描画せず、ペン先３１の現在位置を単にポインタで示し、電子ペン３０のペン先３１の移動に応じて該ポインタを移動させる処理を行う。
即ち、設定モードでは、ペン先３１に筆圧が掛かっている状態で電子ペン３１を移動させても、モニタ１５の画面上には、ペン先３１の移動軌跡に相当する線画は表示されない。
つまり、ユーザが所望する書き出し位置を決定するために、電子ペン３１を大きく移動させても、ペン先３１の移動軌跡に相当する線画はモニタ１５に表示されないので、該移動軌跡がモニタ１５の画面上に表示されるために見辛くなる問題が発生することを防止することが可能となる。
【００２８】
＜設定モード１；紙面上に印をつける場合＞
上述した設定モードにおいては、書き出し位置をＲＡＭ１３等に記憶して描画用エディタ１２０でマークすることによって設定する手法であるが、他の手法として下記の如くであっても良い。
例えば、電子ペン３０によってスイッチ部２３における２番のスイッチが押された場合に、ユーザは電子ペン３０を用いて仮に描く。
このとき、ユーザがモニタ１５を見ながら電子ペン３０のペン先３１を移動させることによって、所望する書き出し位置を決め、この書き出し位置に対応する紙面上の位置を電子ペン３０のペン先３１のインクで自分がわかるように印をつけておく。
また、この場合においては、ユーザがモニタ１５を見ながら電子ペン３０を移動させた際の移動軌跡はモニタ１５の画面上には描かれず、単に電子ペン３０の移動に応じてポインタ（カーソル）が表示されているのみである。
そして、スイッチ部２３における３番のスイッチが押されることによって、描画モードとなり、ユーザは先程印をつけた位置から書き出すことによって、モニタ１５には所望する書き出し位置より描画を開始することが可能となる。
つまり、この場合は、既に上述した場合のようにシステム側に書き出し位置を記憶させる場合と異なって、ユーザが紙面上の位置と、モニタ１５に表示される位置との対応をユーザ自らが印を付けることによって定める手法である。
つまり、ユーザによって紙面に書き出し位置の基準点となる印が描かれるので、ＣＰＵ１６やＲＡＭ１３に該書き出し位置を記憶させる必要がないので、ＣＰＵ１６の処理負担を軽減させることが可能となる。
【００２９】
＜設定モード２；電子ペンのスイッチによる切り替え＞
また、図１に示すように、電子ペン３０にスイッチ３３を設けても良い。
このスイッチ３３は、ペン先３１に筆圧が掛かった場合に出力される信号とは異なる信号を出力するためトリガとなるものであり、換言するなら、電子ペン３０によって描かれる場合に出力される信号とは異なる信号を出力するためのトリガとも言える。
即ち、上述の場合、電子ペン３０は「筆圧が掛かった場合に出力する信号」（以下「信号Ａ」と表記する）と、「スイッチ３３が押された場合に出力する信号」（以下「信号Ｂ」と表記する）との異なる２つの信号を出力することが可能である。
即ち、スイッチ３３は、それ自体が押された場合に、ペン先３１に筆圧が掛かった場合（電子ペン３０によって描かれる場合）とは異なる信号（信号Ｂ）を出力するための手段の一例である。
また、このスイッチ３３は、電子ペン３０上の如何なる箇所に設けられるものであっても良く、図１に示すように、ユーザによって握られるグリップ近傍であっても良い。
上述のように構成される場合に、ＣＰＵ１６は、電子ペン３０のスイッチ３３が押された際に出力される信号Ｂを受信部２０が受信したと判断した場合に、書き出し位置を設定する設定モードにする。
即ち、上記スイッチ３３は上記＜設定モード１＞におけるスイッチ部２３の２番のスイッチと同様の機能を有するものであるが、スイッチ３３の場合は、押されている状態でのみ設定モードとなる。
したがって、スイッチ３３が押された状態では、ペン先３１に筆圧が掛かっても上記信号Ａは出力されず、信号Ｂが出力されて設定モードとなる。
この設定モードにおいて、例えば、ＣＰＵ１６は、スイッチ３３が押されてペン先３１に筆圧が掛かっている状態（設定モード）から、スイッチ３３の押圧が解かれた場合に描画モードに切り替える。
これにより、ユーザは、設定モードにおいて（スイッチ３３は押圧状態）モニタ１５の描画用エディタで所望する書き出し位置で該スイッチ３３の押圧を解くことで、容易に該所望する書き出し位置から電子ペン３０による描画を開始することが可能となる。
この場合に、ＣＰＵ１６は、以下に示すような各手段を具備し、該各手段の機能を順に実行している。
ＣＰＵ１６は、受信部２０にて受信した信号が信号Ａ又は信号Ｂのいずれであるかを判断する手段と、信号Ｂが受信されていると判断された場合に電子ペン３０のペン先３１の移動に伴ってモニタ１５上で電子ペン３０の位置を示すポインタを移動させる手段と、を具備している。
更に、ＣＰＵ１６は、スイッチ３３の押圧による信号Ｂの出力状態から非出力状態に移行した時のポインタの位置を書き出し位置として記憶する手段と、記憶されている書き出し位置を始点として、電子ペン３０で描かれる内容をモニタ１５に表示するを開始する手段と、を具備している。
つまり、ＣＰＵ１６が、上述のような手段を具備し、順に実行することによって、簡便な処理手法（アルゴリズム）で書き出し位置を決定して、電子ペン３０で描かれる内容を表示することが可能となる。
【図面の簡単な説明】
【００３０】
【図１】本発明の入力表示システムの一例である概略構成外観図。
【図２】本発明の入力表示システムのシステム上の概略構成の一例を示したブロック図。
【図３】表示手段に表示された表示内容の一例図。
【符号の説明】
【００３１】
１０    ＰＣ
１１    ストレージデバイス
１４    通信部
１５    モニタ
２０    受信部
２３    スイッチ部
３０    電子ペン
３３    スイッチ
４０    マウス
１２０    描画用エディタ
【図１】
2005107626.tif 000003
【図２】
2005107626.tif 000004
【図３】
2005107626.tif 000005